(57)【要約】【課題】押湯保温用のスリーブを吊り下げる際に用いて好適な吊り下げ金具を提供する。【解決手段】一端がＬ字状の握り部に、他端が被吊り下げ部材を取り外し可能に係合する棒状部材と、前記棒状部材を足場に掛止し、且つ前記棒状部材の先端と前記足場との距離を所望の長さに調整する位置調整機構を有し、前記位置調整機構は前記棒状部材が挿通する円筒部材と、前記円筒部材を前記棒状部材の直線部の任意の位置に調整可能に固定する位置決め部と前記円筒部材に固定されて前記円筒部材を前記足場に掛止する横行き部材を有し、前記位置決め部は前記円筒部材の円筒壁を貫通するねじ孔と前記ねじ孔に螺嵌する位置決めボルトを有し、前記横行き部材は、前記足場と接する側に磁石が取り付けられ、前記磁石は、前記位置調整機構を有する棒状部材と前記棒状部材先端に吊り下げられた被吊り下げ部材を前記足場から吊り下げ可能な保持力を有する。【選択図】図２
2014076470.tif 000002
【特許請求の範囲】
【請求項１】
磁性材からなる足場に掛止して、被吊り下げ部材を前記足場から所望する位置に吊り下げる吊り下げ金具であって、前記吊り下げ金具は、先端が前記被吊り下げ部材を取り外し可能に係合する形状に加工され、他端が操作員が把持するＬ字状の握り部に加工された棒状部材と、前記棒状部材を前記足場に掛止し、且つ前記棒状部材の先端と前記足場との距離を所望の長さに調整する位置調整機構を有し、前記位置調整機構は前記棒状部材が挿通する円筒部材と、前記円筒部材を前記棒状部材の直線部の任意の位置に調整可能に固定する位置決め部と前記円筒部材に固定されて前記円筒部材を前記足場に掛止する横行き部材を有し、前記位置決め部は前記円筒部材の円筒壁を貫通するねじ孔と前記ねじ孔に螺嵌する位置決めボルトを有し、前記横行き部材は、前記足場と接する側に磁石が取り付けられ、前記磁石は、前記位置調整機構を有する棒状部材と前記棒状部材先端に吊り下げられた被吊り下げ部材を前記足場から吊り下げ可能な保持力を有することを特徴とする吊り下げ金具。
【請求項２】
鋳型内に押湯保温用スリーブを固定する際に用いる吊り下げ金具であって、前記吊り下げ金具は、一端が操作員が把持するＬ字状の握り部に、他端が前記スリーブに取り外し可能に係合するカギ状に加工された棒状部材と、前記棒状部材を前記鋳型に固定し、且つ前記棒状部材の先端と前記鋳型の上面との距離を所望の長さに調整する位置調整機構を有し、前記位置調整機構は前記棒状部材が挿通する円筒部材と、前記円筒部材を前記棒状部材の直線部の任意の位置に調整可能に固定する位置決め部と前記円筒部材に固定されて前記円筒部材を前記鋳型の上面に掛止する横行き部材を有し、前記位置決め部は前記円筒部材の円筒壁を貫通するねじ孔と前記ねじ孔に螺嵌する位置決めボルトを有し、前記横行き部材は、前記鋳型の上面と接する側に磁石が取り付けられ、前記磁石は、前記位置調整機構を有する棒状部材と前記棒状部材先端に吊り下げられた前記スリーブを前記鋳型の上面から吊り下げ可能な保持力を有することを特徴とする吊り下げ金具。
【請求項３】
前記押湯保温用スリーブが複数に分割されたくさび状のスリーブ片で構成される円筒形の分割式押湯保温用スリーブで、前記吊り下げ金具は、前記複数のくさび状のスリーブ片のうち、前記鋳型上面から下方に末広がりとなるくさび状のスリーブ片を吊り下げることを特徴とする請求項２記載の吊り下げ金具。
【請求項４】
請求項３記載のスリーブ吊り下げ金具を用いて、複数に分割されたくさび状のスリーブ片で構成される分割式押湯保温用スリーブを鋳型内に据え付ける押湯保温用スリーブの据え付け方法であって、前記スリーブ吊り下げ金具で、前記複数に分割されたくさび状のスリーブ片のうち、前記鋳型上面から下方に向けて末広がりとなる、複数のくさび状のスリーブ片を間隙を設けて吊り下げた後、前記間隙内に前記鋳型上面から下方に向けて先細りとなるスリーブ片をくさびとして打ち込み、前記分割式押湯保温用スリーブを前記鋳型内面を押圧する円筒状に形成することを特徴とする分割式押湯保温用スリーブの据え付け方法。
【発明の詳細な説明】
【技術分野】
【０００１】
本発明は、引け巣を防止する押湯保温用のスリーブを鋳型上面から吊り下げる際に用いて好適な吊り下げ金具およびそれを用いた分割式押湯保温用スリーブの据え付け方法に関する。
【背景技術】
【０００２】
円柱鋼塊は図８に示すように、容器４の底部より溶鋼３を円柱型の鋳型１に注いで製造するが、最終凝固部となる鋳型トップ部２には、図７に示すような凝固部７の頂部が凹状となる引け巣６が発生する。引け巣が大きいと鋼材の歩留まりが低下するため、図６に示すように鋳型トップ部２の内面に引け巣を防止するスリーブ５を設置するのが一般的である。
【０００３】
スリーブ５は、最終凝固部において溶鋼３が鋳型１に接して急激に凝固しないように断熱性のある素材からできているため消耗し、交換可能に鋳型内面に設置される構造となっている。
【０００４】
特許文献１は、図５に示す、銃（図では省略）を用いて鋲８をスリーブ５〜鋳型１に打ち込む鋲打ち方式によるスリーブの設置方法に関し、従来、製造現場においては主流であった。特許文献２、３は銃を用いないでスリーブを鋳型内に設置する方法に関し、スリーブを楔形のスリーブ片を含む、短冊状のスリーブ数片で構成し、これらを組み合わせて鋳型内面に円筒状に配置した状態で、楔形のスリーブを打ち込んで周長を増大させて鋳型内面に取り付ける手法が開示されている。複数のスリーブ片を鋳型内面に間隙を設けて配置し、楔形スリーブを当該間隙内に上方から打ち込んで周長を増大させて鋳型内壁方向へ押し付け固定する方法である。
【０００５】
特許文献４は、押湯保温枠に関し、複数に分割された押湯保温枠を矩形に組み立てる際に設けた間隙に楔を打ち込むに当り、複数に分割された押湯保温枠を保持する吊金具として、端部を押湯保温枠を保持しやすいように変形させた、断面が円形の金属棒と座金を組み合わせたものを使用することが記載されている。
【先行技術文献】
【特許文献】
【０００６】
【特許文献１】特開昭５７−１２４５５１号公報
【特許文献２】実公昭５６−５３９６２号公報
【特許文献３】特公昭５１−１０１７８号公報
【特許文献４】実開昭５５−３３６２１号公報
【発明の概要】
【発明が解決しようとする課題】
【０００７】
しかしながら、特許文献１に記載の鋲を銃を用いて打ち込む方法は、銃の使用がリスク要因となる潜在的危険性を有する方法である。特許文献２、３に記載の楔形スリーブをスリーブ間に打ち込む方法は、楔型スリーブを打ち込んで固定するまでの間、スリーブを鋳型内面の所定の位置に固定しておくことが困難で、また、楔状スリーブの打ち込みによりスリーブが鋳型内部に崩れ落ちることも懸念される。
【０００８】
特許文献４は押湯保温枠を吊し金で吊して保持する方法であるが、吊し金は鋳型に掛止されるのみで固定されないため押湯保温枠間に楔状スリーブを打ち込む際、押湯保温枠が崩れ落ちる懸念がある。
【０００９】
本発明は上記課題を解決するスリーブ吊り下げ金具およびそれを用いた分割式押湯保温用スリーブの据え付け方法を提供することを目的とする。
【課題を解決するための手段】
【００１０】
本発明の課題は以下の手段で達成可能である。
１．磁性材からなる足場に掛止して、被吊り下げ部材を前記足場から所望する位置に吊り下げる吊り下げ金具であって、前記吊り下げ金具は、先端が前記被吊り下げ部材を取り外し可能に係合する形状に加工され、他端が操作員が把持するＬ字状の握り部に加工された棒状部材と、前記棒状部材を前記足場に掛止し、且つ前記棒状部材の先端と前記足場との距離を所望の長さに調整する位置調整機構を有し、前記位置調整機構は前記棒状部材が挿通する円筒部材と、前記円筒部材を前記棒状部材の直線部の任意の位置に調整可能に固定する位置決め部と前記円筒部材に固定されて前記円筒部材を前記足場に掛止する横行き部材を有し、前記位置決め部は前記円筒部材の円筒壁を貫通するねじ孔と前記ねじ孔に螺嵌する位置決めボルトを有し、前記横行き部材は、前記足場と接する側に磁石が取り付けられ、前記磁石は、前記位置調整機構を有する棒状部材と前記棒状部材先端に吊り下げられた被吊り下げ部材を前記足場から吊り下げ可能な保持力を有することを特徴とする吊り下げ金具。
２．鋳型内に押湯保温用スリーブを固定する際に用いる吊り下げ金具であって、前記吊り下げ金具は、一端が操作員が把持するＬ字状の握り部に、他端が前記スリーブに取り外し可能に係合するカギ状に加工された棒状部材と、前記棒状部材を前記鋳型に固定し、且つ前記棒状部材の先端と前記鋳型の上面との距離を所望の長さに調整する位置調整機構を有し、前記位置調整機構は前記棒状部材が挿通する円筒部材と、前記円筒部材を前記棒状部材の直線部の任意の位置に調整可能に固定する位置決め部と前記円筒部材に固定されて前記円筒部材を前記鋳型の上面に掛止する横行き部材を有し、前記位置決め部は前記円筒部材の円筒壁を貫通するねじ孔と前記ねじ孔に螺嵌する位置決めボルトを有し、前記横行き部材は、前記鋳型の上面と接する側に磁石が取り付けられ、前記磁石は、前記位置調整機構を有する棒状部材と前記棒状部材先端に吊り下げられた前記スリーブを前記鋳型の上面から吊り下げ可能な保持力を有することを特徴とする吊り下げ金具。
３．前記押湯保温用スリーブが複数に分割されたくさび状のスリーブ片で構成される円筒形の分割式押湯保温用スリーブで、前記吊り下げ金具は、前記複数のくさび状のスリーブ片のうち、前記鋳型上面から下方に末広がりとなるくさび状のスリーブ片を吊り下げることを特徴とする２記載の吊り下げ金具。
４．３記載のスリーブ吊り下げ金具を用いて、複数に分割されたくさび状のスリーブ片で構成される分割式押湯保温用スリーブを鋳型内に据え付ける押湯保温用スリーブの据え付け方法であって、前記スリーブ吊り下げ金具で、前記複数に分割されたくさび状のスリーブ片のうち、前記鋳型上面から下方に向けて末広がりとなる、複数のくさび状のスリーブ片を間隙を設けて吊り下げた後、前記間隙内に前記鋳型上面から下方に向けて先細りとなるスリーブ片をくさびとして打ち込み、前記分割式押湯保温用スリーブを前記鋳型内面を押圧する円筒状に形成することを特徴とする分割式押湯保温用スリーブの据え付け方法。
【発明の効果】
【００１１】
本発明に係るスリーブ吊り下げ金具を用いれば、銃を用いて鋲を打ち込む必要がないため作業を安全に行うことができ、分割式押湯保温用スリーブも容易に鋳型内面に装着可能で、産業上極めて有用である。
【図面の簡単な説明】
【００１２】
【図１】分割式の押湯保温用スリーブの一例を示す図。
【図２】本発明に係る吊り下げ金具の一例を示す図で、（ａ）は側面図、（ｂ）は正面図を示す図。
【図３】図２に示した吊り下げ金具でスリーブを吊下げている状態を俯瞰した模式図。
【図４】図２に示す吊り下げ金具を用いて、鋳型１の内部に分割式押湯保温用スリーブを装着する手順（（ａ）〜（ｃ））を示す図。
【図５】鋲打ち方式によるスリーブの設置方法を説明する模式図。
【図６】引け巣を防止するスリーブを設置した鋳型トップ部を説明する図。
【図７】最終凝固部となる鋳型トップ部に、凝固部の頂部が凹状となる引け巣が発生している状態を説明する模式図。
【図８】円柱鋼塊の鋳造方法を説明する図。
【発明を実施するための形態】
【００１３】
本発明に係る吊り下げ金具は、吊り下げる部材と吊り下げ金具を取り付ける足場を限定するものではないが、分割式押湯保温用スリーブを対象とした場合、鋳型内に当該スリーブを装着する作業が安全且つ容易となり好ましい。但し、足場は磁性材料とする。
【００１４】
図１に分割式押湯保温用スリーブの一例を示す。分割式押湯保温用スリーブはスリーブ５を円周方向に複数のスリーブ片に分割したもので、鋳型上面側（図の上部）から下方に向けて末広がりとなるスリーブ片９と鋳型上面側（図の上部）から下方に向けて先細りとなるスリーブ片１０を組み合わせる。鋳型内に装着する場合は、スリーブ片９を鋳型内に取り付けた後、スリーブ片１０をくさびとして打ち込み、周長を増大させる。以下、分割式押湯保温用スリーブを対象に本発明の実施の形態について、図面を用いて詳細に説明する。
【００１５】
図２は本発明に係る吊り下げ金具の一例を示す図で、（ａ）は側面図、（ｂ）は正面図を示す。図３に図２に示した吊り下げ金具でスリーブを吊下げている状態を俯瞰した模式図を示す。これらの図において、１３は吊り下げ金具、１４は棒状部材、１５は円筒部材、１６は位置調整用ボルト、１７は横行き部材、１８は磁石、１９はナット、２０はネジ、２１は先端部、２２は握り部を示す。
【００１６】
図示した吊り下げ金具は、位置調整機構を有する棒状部材１４で構成され、棒状部材１４は一端が操作員（図示しない）が把持するためのＬ字状の握り部２２に、他端が分割式押湯保温用スリーブ（図示しない）の分割されたスリーブ片９を吊り下げるようにカギ状に加工されている。棒状部材１４のカギ状に加工された先端部２１は、スリーブ９に設けられた凹部１１の上端に掛け渡される針金などの線状部材１２に下方から係合してスリーブ片９を吊り下げる。棒状部材１４からカギ状の先端部２１にかけては、先端部２１が線状部材１２に係合しやすいようにテーパ加工することが好ましい。
【００１７】
位置調整機構は、棒状部材１４を鋳型１に脱着可能に固定し、且つ棒状部材１４の先端部２１（先端部２１に掛止するスリーブ片９）と鋳型１の上面との間隔を所望の距離Ｌに調整するもので、棒状部材１４が挿通する円筒部材１５と、円筒部材１５を棒状部材１４の直線部の任意の位置に調整可能に固定する位置決め部と円筒部材１５に溶接などで接合されて、円筒部材１５を鋳型１の上面に掛止する横行き部材１７を有する。
【００１８】
位置決め部は円筒部材１５の円筒壁を貫通するように設けられたねじ孔（図示しない）と当該ねじ孔に螺嵌する位置決めボルト１６を有し、位置決めボルト１６をその先端が棒状部材１４に突き当たるまで締め付けることにより、円筒部材１５を棒状部材１４の任意の位置に固定することができる。
【００１９】
横行き部材１７は、例えば、Ｌ型断面のアングル材を素材に用い、少なくとも鋳型１の肉厚の長さとすることが好ましい。横行き部材１７で鋳型１の上面と接する側には磁石１８を取り付ける。横行き部材１７に磁石１８を固定する方法は、特に規定しないが、磁石１８に埋め込まれたネジ２０を横行き部材１７の貫通穴を挿通させて、ナット１９で固定することが好ましい。
【００２０】
磁石１８は、位置調整機構（磁石１８を除く）を有する棒状部材１４と棒状部材１４の先端に吊り下げられたスリーブ片９を鋳型１の上面から吊り下げることが可能な保持力が得られるように、その個数や磁力の強さを有するものを選定する。
【００２１】
吊り下げ金具１３は、棒状部材１４の先端部２１（先端部２１に掛止するスリーブ片９）と鋳型１の上面との間隔を距離Ｌを５００ｍｍ、スリーブ片９を吊り下げた際の、スリーブ片９と鋳型１の内面との間隔ｄ１が０〜３ｍｍ程度となるように、棒状部材１４と鋳型１の内面との間隔ｄ２を５〜１５ｍｍとなるように構成するとスリーブの装着作業が容易となって好ましい。
【００２２】
図４に本発明に係る吊り下げ金具を用いて、鋳型１の内部に分割式押湯保温用スリーブを装着する手順を示す。分割式押湯保温用スリーブは図１に示す、４枚のスリーブ片に分割される分割構造のものとする。
【００２３】
まず、吊り下げ金具１３で、複数に分割されたくさび状のスリーブ片のうち、鋳型１の上面から下方に向けて末広がりとなるスリーブ片９を鋳型１の上面から所望する位置に吊り下げる（図４（ａ））。図示したように２本の吊り下げ金具１３を用いて吊り下げるようにするとスリーブ片９が安定するので好ましい。
【００２４】
吊り下げ金具１３で吊り下げるスリーブ片９の数は、分割式押湯保温用スリーブの分割構造によって異なるが、図１に示した分割式押湯保温用スリーブの場合、２枚の、鋳型１の上面から下方に向けて末広がりとなるスリーブ片９を、１枚につき、２本の吊り下げ金具１３で間隙を設けて吊り下げる（図４（ｂ））。
【００２５】
次に、隣接する、吊り下げられた複数のスリーブ片９の間隙に鋳型１の上面から下方に向けて先細りとなる形状のスリーブ片１０を鋳型１の上方からくさびとして打ち込む。スリーブ片１０を打ち込む加圧力（矢印ａ）は、スリーブ片１０をハンマーなどで打撃して与える（図４（ｃ））。
【００２６】
スリーブ片１０の打ち込みによって、分割式押湯保温用スリーブは鋳型１内面を押圧する円筒状に拡張形成され、鋳型１に装着される。図示したように、くさび部材となるスリーブ片１０が２枚の場合でも、スリーブ片９は鋳型１に磁力によって掛止めされた吊り下げ金具１３に係合しているので、くさびとなるスリーブ片１０の打ち込みの衝撃により鋳型内部に崩れ落ちることが防止される。
【００２７】
最後に、吊り下げ金具１３をスリーブ片９より外す。本方法によれば１人で全ての作業が簡単にしかも安全にできる。
【実施例】
【００２８】
図２に示す吊り下げ金具１３を４本と、図１に示す２枚のスリーブ片９と２枚のスリーブ片１０に分割される押湯保温用のスリーブ５を作成した。スリーブ片９は、鋳型上面側（図の上部）から下方に向けて末広がりとなる形状に、スリーブ片１０は、鋳型１の上面から下方に向けて先細りとなる形状とした。最初に吊り下げ金具１３の位置調整機構を調節してスリーブ５が鋳型上面から５０ｍｍの位置（図２のＬが５０ｍｍ）に吊るされるように設定した。次に、調整した吊り下げ金具１３をスリーブ片９に、２本ずつ装着して、鋳型上面に掛止した。最後にくさびとなる２枚のスリーブ片１０を既に配置したスリーブ片９の間隙に鋳型上面側（上方）から挿入した後、打撃棒で打撃した。吊り下げ金具１３を外してもスリーブ５は落下せず、その後の注湯凝固時にもなんら問題は発生しなかった。
【符号の説明】
【００２９】
１    鋳型
２    鋳型トップ部
３    溶鋼
４    容器
５    スリーブ
６    引け巣
７    凝固部
８    鋲
９、１０  スリーブ片
１１  凹部
１２  線状部材
１３  吊り下げ金具
１４  棒状部材
１５  円筒部材
１６  位置決めボルト
１７  横行き部材
１８  磁石
１９  ナット
２０  ネジ
２１  先端部
２２  握り部
【図１】
2014076470.tif 000003
【図２】
2014076470.tif 000004
【図３】
2014076470.tif 000005
【図４】
2014076470.tif 000006
【図５】
2014076470.tif 000007
【図６】
2014076470.tif 000008
【図７】
2014076470.tif 000009
【図８】
2014076470.tif 000010